(57)【要約】【課題】既設エレベータを新設エレベータに交換する際、新設監視装置で、既設および新設のすべてのエレベータを一元的に監視することができるエレベータの監視システムを提供する。【解決手段】この発明に係るエレベータの監視システムは、複数の昇降路に設けられた複数の既設エレベータと、これら既設エレベータに接続され、既設エレベータの運行状態を表示画面に表示する既設監視装置２ａと、この既設監視装置２ａの表示画面に表示された運行状態を撮影するカメラ３と、既設エレベータの交換後、新たに設けられた複数の新設エレベータと、これら新設エレベータに接続され、新設エレベータの運行状態を表示画面に表示する新設監視装置２Ａとを備え、この新設監視装置２Ａが、カメラ３で撮影された運行状態も自己の表示画面に表示する。【選択図】図１
2015071481.tif 000002
【特許請求の範囲】
【請求項１】
複数の昇降路に設けられた複数の既設エレベータと、
これら既設エレベータに接続され、前記既設エレベータの運行状態を表示画面に表示する既設監視装置と、
この既設監視装置の表示画面に表示された運行状態を撮影するカメラと、
前記既設エレベータの交換後、新たに設けられた複数の新設エレベータと、
これら新設エレベータに接続され、前記新設エレベータの運行状態を表示画面に表示する新設監視装置とを備え、
この新設監視装置が、前記カメラで撮影された運行状態も自己の表示画面に表示することを特徴とするエレベータの監視システム。
【請求項２】
前記新設監視装置は、
前記既設監視装置の表示画面の画像信号を入力する画像入力手段と、
この画像入力手段の画像信号に基づいて、交換前の前記既設エレベータの運行状態を判定し、この判定結果を出力する運行状態判定手段と、
交換後の前記新設エレベータの運行状態の情報を前記新設エレベータから入力する運行データ入力手段と、
監視対象のエレベータが前記既設エレベータか前記新設エレベータかを判定し、
前記監視対象のエレベータが前記既設エレベータであると判定した場合、
このエレベータの運行状態の情報を前記運行状態判定手段に出力させ、
前記監視対象のエレベータが前記新設エレベータであると判定した場合、
このエレベータの運行状態の情報を前記運行データ入力手段に出力させる制御部と、
前記運行状態判定手段からの情報と前記運行データ入力手段からの情報とに基づいて、前記既設エレベータの運行状態と前記新設エレベータの運行状態とを一画面上に表示する表示部と
を備えたことを特徴とする請求項１に記載のエレベータの監視システム。
【請求項３】
前記運行状態判定手段は、
前記画像入力手段に入力された画像と、
この画像内において各ランプがどの位置にあるかを示す情報とに基づいて、
前記既設エレベータの運行状態の情報を出力する
ことを特徴とする請求項２に記載のエレベータの監視システム。
【請求項４】
前記運行状態判定手段は、
前記画像入力手段に入力された画像と、
この画像内における各位置の表示内容を示す情報とに基づいて、
前記既設エレベータの運行状態の情報を出力する
ことを特徴とする請求項２に記載のエレベータの監視システム。
【発明の詳細な説明】
【技術分野】
【０００１】
この発明は、エレベータを監視するエレベータの監視システムに関する。
【背景技術】
【０００２】
従来のエレベータの監視システムは、既設エレベータを新設エレベータに交換する場合、複数の既設エレベータを、複数の新設エレベータに号機ごとに順次交換する。
【先行技術文献】
【特許文献】
【０００３】
【特許文献１】特開平８−３０１５５１号公報
【発明の概要】
【発明が解決しようとする課題】
【０００４】
従来のエレベータの監視システムは、複数のエレベータを同時に且つ瞬時に交換できた場合、既設エレベータを監視していた既設監視装置を使って各既設エレベータを監視することなく、新設エレベータを監視する新設監視装置を使って各新設エレベータを監視する。
【０００５】
しかし、従来のエレベータの監視システムは、複数の既設エレベータを、複数の新設エレベータに号機ごとに順次交換する際、複数のエレベータを同時に且つ瞬時に交換できない場合がある。例えば、既存の１号機のエレベータは、新設の１号機のエレベータとして交換し、既設の２号機のエレベータは、新設の２号機のエレベータとして交換できない場合がある。この場合、１号機のエレベータは新設監視装置を使って監視され、２号機のエレベータは、既設監視装置を使って監視することになる。よって、このような場合には、既設監視装置と新設監視装置を使って、既設エレベータと新設エレベータを監視することになり、すべてのエレベータを一元的に監視することができない。
【０００６】
本発明は、既設エレベータを新設エレベータに交換する際、新設監視装置で、既設および新設のすべてのエレベータを一元的に監視することができるエレベータの監視システムを提供することを目的とする。
【課題を解決するための手段】
【０００７】
この発明に係るエレベータの監視システムは、複数の昇降路に設けられた複数の既設エレベータと、これら既設エレベータに接続され、既設エレベータの運行状態を表示画面に表示する既設監視装置と、この既設監視装置の表示画面に表示された運行状態を撮影するカメラと、既設エレベータの交換後、新たに設けられた複数の新設エレベータと、これら新設エレベータに接続され、新設エレベータの運行状態を表示画面に表示する新設監視装置とを備え、この新設監視装置が、カメラで撮影された運行状態も自己の表示画面に表示するものである。
【発明の効果】
【０００８】
本発明のエレベータの監視システムは、既設エレベータを新設エレベータに交換する際、新設監視装置で、既設および新設のすべてのエレベータを一元的に監視することができる。
【図面の簡単な説明】
【０００９】
【図１】実施の形態１におけるエレベータの監視システムの全体構成を示す図である。
【図２】実施の形態１における監視室を示す図である。
【図３】実施の形態１における新設監視装置の構成を示す図である。
【図４】実施の形態１におけるエレベータの接続状態を示す図である。
【図５】実施の形態１におけるエレベータの交換作業を示すフローチャートである。
【図６】実施の形態１におけるデジタル画像のイメージ図である。
【図７】実施の形態１におけるエレベータの新設監視装置の動作を示すフローチャートである。
【図８】実施の形態２における既設監視装置の表示画面を示す図である。
【図９】実施の形態２における新設監視装置の構成を示す図である。
【図１０】実施の形態２におけるデジタル画像のイメージ図である。
【図１１】実施の形態２におけるエレベータの交換作業を示すフローチャートである。
【図１２】実施の形態２におけるエレベータの新設監視装置の動作を示すフローチャートである。
【発明を実施するための形態】
【００１０】
実施の形態１．
図１は、実施の形態１におけるエレベータの監視システムの全体構成を示す図である。図１を参照して、実施の形態１におけるエレベータの監視システムについて説明する。
【００１１】
実施の形態１におけるエレベータの監視システムは、図１に示すように、監視室１ａ内に既設監視装置２ａとカメラ３とが設けられる。カメラ３は、既設監視装置２ａを撮影する。
【００１２】
また、監視室１Ａ内には、新設監視装置２Ａを設置する。新設監視装置２Ａは、カメラ３と接続する。新設監視装置２Ａには、カメラ３が撮影した画像が入力される。
【００１３】
図１において、既設監視装置２ａは、ネットワーク４ａを介して、既設エレベータ５ａ、既設エレベータ５ｂ、既設エレベータ５ｃ、及び既設エレベータ５ｄと接続している。ネットワーク４ａは、例えば、ＲＳ−４２２、ＬＡＮ（ローカルエリアネットワーク）などを用いて構成される。既設監視装置２ａは、既設エレベータ５ａ、既設エレベータ５ｂ、既設エレベータ５ｃ、及び既設エレベータ５ｄとの間において、各エレベータの運行に関する情報等を送受信する。
【００１４】
新設監視装置２Ａは、ネットワーク４Ａを介して、新設エレベータＡ、新設エレベータ５Ｂ、新設エレベータ５Ｃ、及び新設エレベータ５Ｄが接続される。ネットワーク４Ａは、例えば、ＲＳ−４２２、ＬＡＮなどを用いて構成される。新設監視装置２Ａは、新設エレベータ５Ａ、新設エレベータ５Ｂ、新設エレベータ５Ｃ、及び新設エレベータ５Ｄとの間で各エレベータの運行に関する情報等を送受信する。
【００１５】
なお、実施の形態１において、既設エレベータを新設エレベータに交換する場合について説明する。具体的には、図１に示すとおり、既設エレベータ５ａを新設エレベータ５Ａに交換する。既設エレベータ５ｂは、新設エレベータ５Ｂに交換する。既設エレベータ５ｃは、新設エレベータ５Ｃに交換する。既設エレベータ５ｄは、新設エレベータ５Ｄに交換する。既設監視装置２ａは、新設監視装置２Ａに交換する。
【００１６】
また、既設エレベータ５ａ、既設エレベータ５ｂ、既設エレベータ５ｃ、及び既設エレベータ５ｄ、のことを、交換前の既設エレベータという。新設エレベータ５Ａ、新設エレベータ５Ｂ、新設エレベータ５Ｃ、及び新設エレベータ５Ｄのことを、交換後の新設エレベータという。既設監視装置２ａのことを、交換前の既設監視装置という。新設監視装置２Ａのことを、交換後の新設監視装置という。
【００１７】
実施の形態１における監視室１ａを図２に示す。カメラ３は、図２に示すように、既設監視装置２ａの表示画面の全体を撮影する。なお、図２における既設監視装置２ａの表示画面は、一例である。
【００１８】
なお、図２において、既設監視装置２ａの監視対象は、エレベータａ、エレベータｂ、エレベータｃ、及びエレベータｄである。エレベータａは、既設エレベータ５ａのことである。エレベータｂは、既設エレベータ５ｂのことである。エレベータｃは、既設エレベータ５ｃのことである。エレベータｄは、既設エレベータ５ｄのことである。
【００１９】
また、図２において、Ｂａｎｋ１とは、既設エレベータ５ａ、既設エレベータ５ｂ、及び既設エレベータ５ｃから構成されるグループのことをいう。監視対象のＢａｎｋ２とは、既設エレベータ５ｄのことをいう。
【００２０】
監視項目とは、図２に示すように、エレベータかごの走行位置の階、エレベータかごの走行方向、運転の状態の正常または異常、及び官制運転の有無のことをいう。官制運転とは、地震、火災、または停電が発生した場合に、乗客が安全に避難できるよう、予め定められた自動運転を行うことをいう。
【００２１】
運行状態とは、図２に示すように、かごの走行位置の階、かごの走行方向、運転の状態が正常か異常か、及び官制運転の有無など、監視を行っているエレベータの現在の状態のことをいう。
【００２２】
実施の形態１における既設監視装置２ａは、図２に示すように、監視対象のそれぞれについて、監視項目ごとにランプを備える。各ランプは、監視対象についての運行状態を表示する。
【００２３】
例えば、既設監視装置２ａは、図２のＡの位置に、既設エレベータ５ｂが異常であることを示すランプを備える。既設エレベータ５ｂの運転の状態が異常になった場合、既設エレベータ５ｂは、運転の状態が異常であるという信号を既設監視装置２ａへと送信する。この信号を受信すると、既設監視装置２ａは、既設エレベータ５ｂが異常であることを示すランプを点灯する。このようにして、既設監視装置２ａは、既設エレベータ５ａ、既設エレベータ５ｂ、既設エレベータ５ｃ、及び既設エレベータ５ｄの運行状態を監視する。
【００２４】
図３は、実施の形態１における新設監視装置２Ａの構成を示す図である。図３を参照して、実施の形態１における新設監視装置２Ａについて説明する。
【００２５】
カメラ画像入力部２１は、カメラ３により撮影された画像が入力される。カメラ画像入力部２１は、入力された画像をデジタル画像情報に変換する。カメラ画像入力部２１は、変換したデジタル画像情報を、運行状態判定部２２に送信する。
【００２６】
データベース２３は、監視対象データと、工事中のエレベータか否かの情報と、各ランプの位置情報とを記憶する。監視対象データと、工事中のエレベータか否かの情報と、ランプの位置情報とについては、後述する。
【００２７】
運行状態判定部２２は、カメラ画像入力部２１からデジタル画像情報を受信する。また、運行状態判定部２２は、受信したデジタル画像情報と、データベース２３に記憶されたランプの位置情報とに基づいて、監視対象エレベータの運行状態を判定する。監視対象エレベータの運行状態の判定については、後述する。
【００２８】
運行状態判定部２２は、運行状態の判定結果に基づいて、運行データを生成する。運行データとは、エレベータの運行状態を表すデータのことである。運行状態判定部２２は、生成した運行データを表示情報生成部２４に送信する。
【００２９】
運行データ入力部２５は、ネットワーク４Ａを介して、新設エレベータについての運行状態が入力される。運行データ入力部２５は、入力された新設エレベータの運行状態を、運行データとして表示情報生成部２４に送信する。
【００３０】
表示情報生成部２４は、運行状態判定部２２から運行データを受信する。また、表示情報生成部２４は、運行データ入力部２５から運行データを受信する。表示情報生成部２４は、受信した運行データに基づいて、表示情報を生成する。表示情報生成部２４は、生成した表示情報を表示部２６に送信する。
【００３１】
表示部２６は、表示情報生成部２４から受信した表示情報に基づいて、既設エレベータ及び新設エレベータの運行状態を表示する。
【００３２】
制御部２７は、データベース２３に記憶された工事中のエレベータか否かの情報に基づいて、監視対象エレベータが工事中か否かの判定を行う。監視対象エレベータが工事中か否かの判定については、後述する。
【００３３】
また、制御部２７は、監視対象エレベータが工事中か否かの判定結果に基づいて、カメラ画像入力部２１、運行状態判定部２２、監視状態生成部２４、及び運行データ入力部２５を制御する。
【００３４】
次に、エレベータを交換する順番について説明する。図４は、既設エレベータを新設エレベータに交換する場合における、各エレベータが既設監視装置、または新設監視装置のどちらに接続されているかを示す図である。
【００３５】
図４−（ａ）において、既設監視装置２ａは、ネットワーク４ａを介して、既設エレベータ５ａ、既設エレベータ５ｂ、既設エレベータ５ｃ、及び既設エレベータ５ｄと接続している。また、図４−（ａ）において、新設監視装置２Ａには、エレベータが接続されていない。図４−（ａ）は、エレベータの交換作業を行う前の状態を表す。
【００３６】
図４−（ｂ）において、既設監視装置２ａは、ネットワーク４ａを介して、既設エレベータ５ｂ、既設エレベータ５ｃ、及び既設エレベータ５ｄと接続している。また、新設監視装置２Ａは、ネットワーク４Ａを介して、新設エレベータ５Ａと接続している。図４−（ｂ）は、エレベータの交換作業を行っている状態であり、未だ交換作業が完了していない状態を表す。
【００３７】
図４−（ｃ）において、既設監視装置２ａは、ネットワーク４ａを介して、既設エレベータ５ｃ、及び既設エレベータ５ｄと接続している。また、新設監視装置２Ａは、ネットワーク４Ａを介して、新設エレベータ５Ａ、及び新設エレベータ５Ｂと接続している。図４−（ｃ）は、エレベータの交換作業を行っている状態であり、未だ交換作業が完了していない状態を表す。
【００３８】
図４−（ｄ）において、既設監視装置２ａは、ネットワーク４ａを介して、既設エレベータ５ｄと接続している。また、新設監視装置２Ａは、ネットワーク４Ａを介して、新設エレベータ５Ａ、新設エレベータ５Ｂ、及び新設エレベータ５Ｃと接続している。図４−（ｄ）は、エレベータの交換作業を行っている状態であり、未だ交換作業が完了していない状態を表す。
【００３９】
図４−（ｅ）において、既設監視装置２ａは、エレベータと接続されていない。また、新設監視装置２Ａは、ネットワーク４Ａを介して、新設エレベータ５Ａ、新設エレベータ５Ｂ、新設エレベータ５Ｃ、及び新設エレベータ５Ｄと接続している。図４−（ｅ）は、エレベータの交換作業が全て終了した状態を表している。
【００４０】
実施の形態１において、エレベータの交換作業は、図４−（ａ）、図４−（ｂ）、図４−（ｃ）、図４−（ｄ）、図４−（ｅ）に示す手順でおこなう。また、エレベータを交換する。このようにして、作業者は、既設エレベータを新設エレベータに交換する。
【００４１】
図５は、実施の形態１におけるエレベータの交換作業を示すフローチャートである。図３、図４、及び図５を参照して、実施の形態１におけるエレベータの交換作業について説明する。なお、図５のフローチャートの開始時において、エレベータは、まだ交換されていない。このため、各エレベータは、図４−（ａ）に示す状態のように接続されている。
【００４２】
図５のステップＳ１０１において、作業者は、データベース２３に、監視対象データを設定する。監視対象データとは、既設エレベータ５ａ、既設エレベータ５ｂ、既設エレベータ５ｃ、既設エレベータ５ｄ、新設エレベータ５Ａ、新設エレベータ５Ｂ、新設エレベータ５Ｃ、及び新設エレベータ５Ｄに関するデータのことである。データベース２３は、設定された監視対象データを記憶する。
【００４３】
ステップＳ１０２において、作業者は、各ランプの位置情報について設定する。
【００４４】
ここで、ランプの位置情報について説明する。カメラ画像入力部２１が生成するデジタル画像のイメージを、図６に示す。実施の形態１に係る新設監視装置２Ａにおいて、カメラ画像入力部２１が生成するデジタル画像は、画像内の各位置について位置情報を有する。この位置情報とは、図６に示すように、Ｘ座標とＹ座標の情報のことである。
【００４５】
作業者は、図６に示すデジタル画像において、例えば、Ｘ座標が２、Ｙ座標が５の位置を、エレベータａの運転ランプと設定する。また、例えば、作業者は、Ｘ座標が３、Ｙ座標が４の位置を、エレベータｂの異常ランプであると設定する。作業者は、このようなランプの位置情報をデータベース２３に入力する。図５のステップＳ１０２において、各ランプの位置情報についての設定が終わると、ステップＳ１０３に進む。
【００４６】
なお、以下において、ランプの名称のことを、ランプの銘板という。ランプの銘板は、既設監視装置２ａが備える各ランプを識別するための記号として用いる。また、ランプの銘板は、当該ランプの表示対象であるエレベータと、そのエレベータの運行状態とにより、表される。例えば、図６において、Ｘ座標が２、Ｙ座標が５に位置するランプの銘板は、エレベータａの運転ランプである。また、例えば、Ｘ座標が３、Ｙ座標が４に位置するランプの銘板は、エレベータｂの異常ランプである。
【００４７】
図５のステップＳ１０３において、作業者は、各エレベータについて、新設エレベータに交換するため、工事中のエレベータか否かの情報を設定する。なお、工事中のエレベータとは、既設監視装置２ａに接続されている既設エレベータのことである。
【００４８】
ここで、工事中のエレベータか否かの設定について説明する。この設定には、工事中フラグを使用する。データベース２３内の監視対象データにおいて、各エレベータは、工事中フラグが設定される。工事中フラグのＯＮは、工事中であることを表す。工事中フラグのＯＦＦは、工事が完了したことを表す。工事が完了したとは、既設エレベータの交換が完了したことをいう。
【００４９】
図４−（ａ）に示す状態において、作業者は、既設エレベータ５ａ、既設エレベータ５ｂ、既設エレベータ５ｃ、及び既設エレベータ５ｄについて、工事中フラグをＯＮと入力する。また、例えば、図４−（ｂ）に示す状態において、作業者は、既設エレベータ５ｂ、既設エレベータ５ｃ、及び既設エレベータ５ｄについて、工事中フラグをＯＮと設定する。なお、図４−（ｂ）に示す状態において、作業者は、既設エレベータ５ａについて、工事中フラグをＯＦＦと設定する。
【００５０】
工事中フラグを設定する際、作業者は、図３に示すデータベース２３内の監視対象データを編集する。このとき、作業者は、監視対象データをテキストエディタなどの編集ツールを使用して、編集する。これにより、作業者は、工事中フラグのＯＮとＯＦＦとを切り替える。図５のステップＳ１０３において、工事中フラグの設定後、ステップＳ１０４に進む。
【００５１】
図５のステップＳ１０４において、作業者は、新設監視装置２Ａに対し、監視対象エレベータの監視を開始するよう設定する。これにより、新設監視装置２Ａは、監視対象エレベータの監視を開始する。
【００５２】
なお、監視対象エレベータとは、データベース２３に監視対象データとして記憶されたエレベータのうち、実際に監視システムに接続されているエレベータのことである。監視対象エレベータは、図４−（ａ）に示す状態において、既設エレベータ５ａ、既設エレベータ５ｂ、既設エレベータ５ｃ、及び既設エレベータ５ｄのことである。また、例えば、図４−（ｂ）に示す状態において、監視対象エレベータは、既設エレベータ５ｂ、既設エレベータ５ｃ、既設エレベータ５ｄ、及び新設エレベータ５Ａのことである。
【００５３】
ステップＳ１０５において、作業者は、エレベータの交換作業を行う。また、作業者は、交換が完了したエレベータについて、工事中フラグを変更する。例えば、エレベータの交換により、図４−（ａ）に示す状態から図４−（ｂ）に示す状態になった場合を考える。この場合、作業者は、既設エレベータ５ａの工事中フラグを、ＯＮからＯＦＦに切り替える。
【００５４】
また、例えば、エレベータの交換により、図４−（ｂ）に示す状態から図４−（ｃ）に示す状態になった場合を考える。この場合、作業者は、既設エレベータ５ｂの工事中フラグを、ＯＮからＯＦＦに切り替える。
【００５５】
ステップＳ１０６において、作業者は、全てのエレベータの交換が完了したか否かを確認する。全てのエレベータの交換が完了していない場合、ステップＳ１０５に戻る。全てのエレベータの交換が完了し、図４−（ｅ）に示す状態となった場合、エレベータの交換作業を終了する。
【００５６】
図７は、実施の形態１におけるエレベータの新設監視装置２Ａの動作を示すフローチャートである。図４、図６、及び図７を参照して、実施の形態１における新設監視装置２Ａの動作を説明する。
【００５７】
新設監視装置２Ａは、作業者が、監視対象エレベータの監視を開始するよう設定することで、図７に示すフローチャートを開始する。また、新設監視装置２Ａは、エレベータの交換及び工事中フラグの変更を行った場合も、図７のフローチャートに示す動作を行う。なお、ここでは一例として、図４−（ｂ）に示す状態における動作について説明する。
【００５８】
図７のステップ２０１において、制御部２７は、監視対象データから、新設監視装置２Ａで監視を行う監視対象エレベータを抽出する。図４−（ｂ）に示す状態において、監視対象エレベータは、既設エレベータ５ｂ、既設エレベータ５ｃ、既設エレベータ５ｄ、及び新設エレベータ５Ａである。新設監視装置２Ａは、抽出した監視対象エレベータのそれぞれについて、ステップＳ２０２からステップＳ２０８までの各処理を行う。なお、ステップＳ２０２からステップＳ２０８までの各処理は、既設エレベータ５ｂ、既設エレベータ５ｃ、既設エレベータ５ｄ、新設エレベータ５Ａの順に処理を行うこととして説明する。
【００５９】
図７のステップＳ２０２にて、既設エレベータ５ｂは、未だ工事中のため、新設監視装置２Ａのデータベース２３内において、工事中フラグが作業員によりＯＮと設定されている。このため、制御部２７は、既設エレベータ５ｂについて工事中であると判定し、ステップＳ２０３へと進む。
【００６０】
ステップＳ２０３において、制御部２７は、カメラ画像入力部２１に対し、カメラ３から既設エレベータ５ｂの運行状態の画像を入力するよう指令を出す。これにより、カメラ画像入力部２１は、カメラ３から画像が入力される。カメラ画像入力部２１は、カメラ３から入力された画像をデジタル画像に変換する。カメラ画像入力部２１は、デジタル画像を運行状態判定部２２に送信する。
【００６１】
ステップＳ２０４において、運行状態判定部２２は、カメラ画像入力部２１から受信したデジタル画像を、データベース２３内に記憶されているランプの位置情報と比較する。この比較結果から、運行状態判定部２２は、デジタル画像内に含まれるランプの銘板を判別する。
【００６２】
例えば、データベース２３は、既設エレベータ５ｂの異常ランプについて、図６に示すとおり、Ｘ座標が３、Ｙ座標が４の位置であるという情報を記憶している。この位置情報に基づいて、運行状態判定部２２は、入力されたデジタル画像における、Ｘ座標が３、Ｙ座標が４の位置が、既設エレベータ５ｂの異常ランプであると判別する。このようにして、運行状態判定部２２は、デジタル画像内に含まれる各ランプの銘板を判別する。
【００６３】
図７のステップＳ２０５において、運行状態判定部２２は、ランプの銘板の判別結果に基づいて、既設エレベータ５ｂに係るランプを判別する。運行状態判定部２２は、判別した既設エレベータ５ｂに係るランプの表示から、既設エレベータ５ｂの運行状態を判定する。具体的には、運行状態判定部２２は、例えば、図６に示す既設エレベータ５ｂの異常ランプについて、点灯か消灯かを判定する。
【００６４】
なお、この判定は、一般的な画像処理技術により行う。例えば、運行状態判定部２２は、入力されたデジタル画像を白黒画像に変換する。この白黒画像において、運行状態判定部２２は、判別した既設エレベータ５ｂの異常ランプについて、明暗の判定を行う。この白黒画像の黒の場合、運行状態判定部２２は、既設エレベータ５ｂの異常ランプが点灯と判定する。この白黒画像が白の場合、運行状態判定部２２は、既設エレベータ５ｂの異常ランプが消灯と判定する。このようにして、運行状態判定部２２は、既設エレベータ５ｂの異常ランプについて点灯か消灯かを判定する。
【００６５】
例えば、図６に示す例において、Ｘ座標３、Ｙ座標４の画像は黒のため、既設エレベータ５ｂの異常ランプは、点灯していることになる。これにより、運行状態判定部２２は、既設エレベータ５ｂの運行状態について、運転の状態が異常であると判定する。
【００６６】
運行状態判定部２２は、既設エレベータ５ｂの運行状態の判定結果を、運行データとして表示情報生成部２４へと送信する。
【００６７】
図７に示すステップＳ２０７において、表示情報生成部２４は、運行状態判定部２２から受信した既設エレベータ５ｂの運行データに基づいて、表示部２６が表示するための表示情報を生成する。
【００６８】
ステップＳ２０８において、制御部２７は、他に監視対象エレベータがあるかどうかを判定する。ここでは、既設エレベータ５ｃ、既設エレベータ５ｄ、及び新設エレベータ５Ａについての処理がまだ終わっていないため、ステップＳ２０２へと戻る。
【００６９】
ステップＳ２０２において、制御部２７は、既設エレベータ５ｃについて、工事中フラグを判定する。既設エレベータ５ｃは、新設監視装置２Ａのデータベース２３内において、工事中フラグがＯＮと指定されている。このため、制御部２７は、既設エレベータ５ｃについて、工事中であると判定し、ステップＳ２０３へと進む。
【００７０】
ステップＳ２０３からステップＳ２０７において、新設監視装置２Ａは、既設エレベータ５ｃにつき、上記の既設エレベータ５ｂの処理と同様の処理を行う。
【００７１】
ステップＳ２０８において、制御部２７は、他に監視対象エレベータがあるかどうかを判定する。ここでは、既設エレベータ５ｄ、及び新設エレベータ５Ａについての処理がまだ終わっていないため、ステップＳ２０２へと戻る。
【００７２】
ステップＳ２０２において、制御部２７は、既設エレベータ５ｄについて、工事中フラグを判定する。既設エレベータ５ｄは、新設監視装置２Ａのデータベース２３内において、工事中フラグがＯＮと指定されている。このため、制御部２７は、既設エレベータ５ｄについて、工事中であると判定し、ステップＳ２０３へと進む。
【００７３】
ステップＳ２０３からステップＳ２０７において、新設監視装置２Ａは、既設エレベータ５ｄにつき、上記の既設エレベータ５ｂについての処理と同様の処理を行う。
【００７４】
ステップＳ２０８において、制御部２７は、他に監視対象エレベータがあるかどうかを判定する。ここでは、新設エレベータ５Ａについての処理がまだ終わっていないため、ステップＳ２０２へと戻る。
【００７５】
ステップＳ２０２にて、制御部２７は、新設エレベータ５Ａについて、工事中フラグを判定する。新設エレベータ５Ａは、新設監視装置２Ａのデータベース２３内において、工事中フラグがＯＦＦと指定されている。このため、制御部２７は、新設エレベータ５Ａについて、工事が完了したと判定し、ステップＳ２０６へと進む。
【００７６】
ステップＳ２０６において、制御部２７は、運行データ入力部２５に対し、新設監視装置２Ａに直接接続されている新設エレベータ５Ａから運行データを入力するよう指令を出す。これにより、運行データ入力部２５は、新設エレベータ５Ａから運行データが入力される。
【００７７】
また、運行データ入力部２５は、新設エレベータ５Ａの運行データを表示情報生成部２４へと送信する。
【００７８】
図７に示すステップＳ２０７において、表示情報生成部２４は、運行データ入力部２５から受信した新設エレベータ５Ａの運行データに基づいて、表示部２６が表示するための表示情報を生成する。
【００７９】
ステップＳ２０８において、制御部２７は、他に監視対象エレベータがあるかどうかを判定する。ここでは、制御部２７は、他に監視対象エレベータが無いと判定する。そして、ステップＳ２０９へと進む。
【００８０】
ステップＳ２０９において、制御部２７は、表示情報生成部２４に対し、全ての監視対象エレベータについての処理が終わったことを示す指令を出す。この指令により、表示情報生成部２４は、運行状態判定部２２から受信した運行データから生成した表示情報と、運行データ入力部２５から受信した運行データにより生成した表示情報と、を合成する。表示情報生成部２４は、合成した表示情報を表示部２６に送信する。
【００８１】
表示部２６は、表示情報生成部２４から受信した表示情報に基づいて、監視対象エレベータの運行状態を表示する。つまり、表示部２６は、既設エレベータ５ｂ、既設エレベータ５ｃ、既設エレベータ５ｄ、及び新設エレベータ５Ａ（すべての監視対象エレベータ）の運行状態を、画面上に表示する。
【００８２】
上記の処理において、新設エレベータ５Ａが異常であるという情報を受信した場合、表示部２６は、新設エレベータ５Ａが異常であることを表示する。この表示方法は、例えば、表示部２６が、新設エレベータ５Ａが異常であることを示すランプを備えることにより、このランプを点灯する方法でもよい。また、例えば、新設監視装置２Ａがパソコン（パーソナルコンピュータ）の場合、表示部２６に相当するパソコンの画面上に、新設エレベータ５Ａが異常であることを示す文字等を表示する方法でもよい。
【００８３】
また、監視対象エレベータの運行状態が変更された場合、新設エレベータ５Ａは、カメラ画像入力部２１または運行データ入力部２５から、変更後の運行状態が入力される。表示部２６は、監視対象エレベータについて、変更後の運行状態を表示する。このようにして、新設監視システムは、監視対象エレベータを監視する。
【００８４】
ステップＳ２０９の後、新設監視装置２Ａは、図７のフローチャートを終了する。
【００８５】
以上において説明したように、実施の形態１におけるエレベータの監視システムは、既設エレベータ及び既設監視装置２ａの交換時において、新設監視装置２Ａにて既設エレベータと新設エレベータとを一元的に監視することができる。
【００８６】
また、交換する既設エレベータ及び既設監視装置２ａは、他社製であったり、旧世代の機種であったりする場合がある。この場合、新設監視装置２Ａは、ネットワーク４ａとの接続部分である入出力インターフェースが、既設エレベータ及び既設監視装置２ａと異なる可能性がある。
【００８７】
新設監視装置２Ａの入出力インターフェースが、既設エレベータ及び既設監視装置２ａと異なる場合、新設監視装置２Ａをネットワーク４ａに接続することができない。この場合、新設監視装置２Ａは、既設エレベータ及び既設監視装置２ａとの間で情報の送受信を行うことできない。よって、新設監視装置２Ａは、既設エレベータを監視することができない。
【００８８】
しかし、実施の形態１におけるエレベータの監視システムは、新設監視装置２Ａの入出力インターフェースが、既設エレベータ及び既設監視装置２ａと異なる場合でも、新設監視装置２Ａにて、既設エレベータと新設エレベータとを、一元的に監視することができる。
【００８９】
また、実施の形態１におけるエレベータの監視システムは、交換前の既設監視装置２ａがランプにて運行状態を表示する装置の場合において、交換前の既設監視装置２ａで監視しているエレベータを、新設監視装置２Ａで監視することができる。
【００９０】
作業者は、交換前の既設監視装置２ａの表示内容を確認しなくても、新設監視装置２Ａの表示内容を確認するだけで、交換前後の全てのエレベータの運行状態を把握することができる。よって、作業者が両方の監視システムの表示内容を確認するという手間を省くことができる。
【００９１】
なお、図４−（ｂ）に示すエレベータの接続状態において、既設監視装置２ａは、図２に示すような表示を行う。図２において、既設エレベータ５ａと既設エレベータ５ｂとは、ともに運転の状態が異常であると表示される。
【００９２】
一般に、既設監視装置２ａは、エレベータが接続されなくなった場合、接続されなくなったエレベータについて異常を表示する。図４−（ｂ）に示す接続状態において、既設エレベータ５ａは、既設監視装置２ａに接続されていない。このため、図２において、既設監視装置２ａは、既設エレベータ５ａについて、接続されなくなったことに起因する異常を表示する。
【００９３】
一方、図４−（ｂ）に示す接続状態において、既設エレベータ５ｂは、既設監視装置２ａに接続されている。このため、図２において、既設監視装置２ａは、既設エレベータ５ｂについて、運転の状態自体が異常であることに起因する異常を表示する。
【００９４】
しかし、この２つの原因に起因する異常について、作業者は、既設監視装置２ａの表示を確認するだけで判別することができない。
【００９５】
これに対し、実施の形態１における新設監視装置２Ａは、図４−（ｂ）に示す接続状態において、既設エレベータ５ａが異常であると表示しない。このため、作業者は、新設監視装置２Ａの表示を確認するときに、既設エレベータ５ａが異常であると判断することはない。よって、各エレベータの運行状態の判断ミスを軽減することができる。
【００９６】
なお、実施の形態１において、エレベータの交換作業は、図４−（ａ）、図４−（ｂ）、図４−（ｃ）、図４−（ｄ）、図４−（ｅ）に示す状態を経由して行うとした。また、エレベータを交換する順番は、図４−（ａ）、図４−（ｂ）、図４−（ｃ）、図４−（ｄ）、図４−（ｅ）の順であるとした。しかし、エレベータの交換作業は、これに限られるものではない。
【００９７】
例えば、エレベータを交換する順番は、上記以外の任意の順番でよい。さらに、接続され、または交換されるエレベータの数も、４個に限られるものではない。このような変更を行った場合においても、実施の形態１に係る効果を得ることができる。
【００９８】
実施の形態２．
次に、実施の形態２におけるエレベータの監視システムについて説明する。実施の形態１と同一または同等の手段、構成に関しては、同一の名称と符号とを用いて説明を省略する。
【００９９】
図８は、実施の形態２における既設監視装置２ａの表示画面を示す図である。図８に示すように、実施の形態２における既設監視装置２ａは、パソコンである。カメラ３は、図８に示す既設監視装置２ａの表示画面を撮影する。なお、図８における既設監視装置２ａの表示は、一例である。
【０１００】
実施の形態２における既設監視装置２ａは、図８に示すとおり、監視対象のそれぞれについて、監視項目に対応した位置に、文字・図形等の情報を表示する。この表示文字・図形等は、監視対象についての運行状態を表す。
【０１０１】
例えば、既設監視装置２ａは、表示画面において、図８のＢの位置に、既設エレベータ５ｂの運転の状態を表す文字を表示する。既設エレベータ５ｂの運転の状態が異常になった場合、既設エレベータ５ｂは、運転の状態が異常であるという信号を既設監視装置２ａへと送信する。この信号を受信すると、既設監視装置２ａは、既設エレベータ５ｂの運転の状態が異常であることを表す文字を表示画面上に表示する。図８において、Ｂの位置には、異常と表示されている。この文字は、既設エレベータ５ｂの運転の状態が異常であることを表す表示文字である。このようにして、既設監視装置２ａは、既設エレベータ５ａ、既設エレベータ５ｂ、既設エレベータ５ｃ、及び既設エレベータ５ｄの運行状態を監視する。
【０１０２】
次に、実施の形態２における新設監視装置２Ａについて説明する。図９は、実施の形態２における新設監視装置２Ａの構成を示す図である。実施の形態２において、データベース２３は、監視対象データと、工事中のエレベータか否かの情報と、表示文字・図形等の位置情報とを記憶する。表示文字・図形等の位置情報については、後述する。
【０１０３】
図９において、カメラ画像入力部２１は、カメラ３により撮影された画像が入力される。この画像は、図８に示すような画像である。カメラ画像入力部２１は、入力された画像をデジタル画像に変換する。
【０１０４】
カメラ画像入力部２１が生成するデジタル画像のイメージを、図１０に示す。実施の形態２に係る新設監視装置２Ａにおいて、カメラ画像入力部２１が生成するデジタル画像は、画像内の各位置について位置情報を有する。この位置情報とは、図１０に示すように、Ｘ座標とＹ座標の情報のことである。
【０１０５】
図９において、カメラ画像入力部２１は、変換したデジタル画像を、運行状態判定部２２に送信する。運行状態判定部２２は、カメラ画像入力部２１からデジタル画像を受信する。また、運行状態判定部２２は、受信したデジタル画像と、データベース２３に記憶された表示文字・図形等の位置情報とに基づいて、監視対象エレベータの運行状態を判定する。
【０１０６】
図１１は、実施の形態２におけるエレベータの交換作業を示すフローチャートである。図１０、及び図１１を参照して、実施の形態２におけるエレベータの交換作業について説明する。
【０１０７】
なお、図１１において、ステップＳ３０１は、実施の形態１における図５のステップＳ１０１と同様である。また、図１１のステップＳ３０３からステップＳ３０６は、実施の形態１における図５のステップＳ１０３からステップＳ１０６と同様である。このため、図１１のステップＳ３０２についてのみ、説明する。
【０１０８】
図１１のステップＳ３０２において、作業者は、各表示文字・図形等の位置情報について設定する。
【０１０９】
ここで、表示文字・図形等の位置情報について説明する。作業者は、図１０に示すデジタル画像において、例えば、Ｘ座標が２、Ｙ座標が７の位置を、エレベータａの運転の状態を示す表示文字と設定する。また、例えば、作業者は、Ｘ座標が３、Ｙ座標が７の位置を、エレベータｂの運転の状態を示す表示文字と設定する。作業者は、このような表示文字・図形等の位置情報をデータベース２３に入力する。各表示文字・図形等の位置情報についての設定が終わると、ステップＳ３０３に進む。
【０１１０】
次に、実施の形態１における新設監視装置２Ａの動作を説明する。図１２は、実施の形態２におけるエレベータの新設監視装置２Ａの動作を示すフローチャートである。
【０１１１】
なお、図１２において、ステップＳ４０１からステップＳ４０３は、実施の形態１における図７のステップＳ１０１からステップＳ１０３と同様である。また、図１２のステップＳ４０６からステップＳ４０９は、実施の形態１における図７のステップＳ１０６からステップＳ１０９と同様である。このため、図１１のステップＳ４０４とステップＳ４０５についてのみ、説明する。
【０１１２】
ステップＳ４０４において、運行状態判定部２２は、カメラ画像入力部２１から受信したデジタル画像を、データベース２３内に記憶されている表示文字・図形等の位置情報と比較する。この比較結果から、運行状態判定部２２は、デジタル画像内に含まれる表示文字・図形等を判別する。
【０１１３】
例えば、データベース２３は、既設エレベータ５ｂの運転の状態を示す表示文字について、図１０に示すとおり、Ｘ座標が３、Ｙ座標が７の位置であるという情報を記憶している。この位置情報に基づいて、運行状態判定部２２は、入力されたデジタル画像における、Ｘ座標が３、Ｙ座標が７の位置が、既設エレベータ５ｂの運転の状態を示す表示文字であると判別する。このようにして、運行状態判定部２２は、デジタル画像内に含まれる各表示文字・図形等を判別する。
【０１１４】
ステップＳ４０５において、運行状態判定部２２は、表示文字・図形等の判別結果に基づいて、既設エレベータ５ｂに係る表示文字・図形等を判別する。運行状態判定部２２は、判別した既設エレベータ５ｂに係る表示文字・図形等の表示から、既設エレベータ５ｂの運行状態を判定する。具体的には、運行状態判定部２２は、例えば、図１０に示す既設エレベータ５ｂの運転の状態を示す表示文字について、文字を認識する。この文字の認識結果に基づいて、既設エレベータ５ｂの運行状態を判定する。
【０１１５】
なお、この文字の認識は、一般的な画像処理技術により行う。例えば、運行状態判定部２２は、入力されたデジタル画像を白黒画像に変換する。この白黒画像は二値化されているので、運行状態判定部２２は、この二値化された信号により、既設エレベータ５ｂの運転の状態を示す表示文字の文字認識を行う。
【０１１６】
そして、運行状態判定部２２は、この文字認識の結果に基づいて、既設エレベータ５ｂの運行状態を判定する。
【０１１７】
例えば、図１０に示す例において、既設エレベータ５ｂの運転の状態を示す表示文字は、異常である。この場合、運行状態判定部２２は、既設エレベータ５ｂの運転の状態を示す表示文字が、異常であると認識する。これにより、運行状態判定部２２は、既設エレベータ５ｂの運行状態について、運転の状態が異常であると判定する。
【０１１８】
運行状態判定部２２は、既設エレベータ５ｂの運行状態の判定結果を、運行データとして表示情報生成部２４へと送信する。そして、図１２のステップＳ４０７に進む。
【０１１９】
以上において説明したように、実施の形態２におけるエレベータの監視システムは、交換前の既設監視装置２ａがパソコンの画面上にて運行状態を表示する装置であった場合において、交換前の既設監視装置２ａで監視しているエレベータを、新設監視装置２Ａで監視することができる。
【０１２０】
なお、従来の監視システムは、かご内にカメラが設置される。従来の監視システムは、このカメラが撮影をした画像に基づいて、エレベータの運行状態を監視する。しかし、この従来の監視システムは、新設監視装置に接続されていないエレベータそれぞれについて、カメラを設置する必要がある。このため、新設監視装置に接続されていないエレベータの台数分だけ、カメラの費用がかかってしまう。
【０１２１】
また、この従来の監視システムは、エレベータの交換などを想定しておらず、交換を行わない通常時においてエレベータを監視するものである。
【０１２２】
これに対し、実施の形態１及び実施の形態２におけるエレベータの監視システムは、１台のカメラだけを設置する。よって、実施の形態１及び実施の形態２におけるエレベータの監視システムは、従来の監視システムに比較して、カメラにかかる費用を削減することができる。
【符号の説明】
【０１２３】
１ａ  監視室、１Ａ  監視室、２ａ  既設監視装置、２Ａ  新設監視装置、２１  カメラ画像入力部、２２  運行状態判定部、２３  データベース、２４  表示情報生成部、２５  運行データ入力部、２６  表示部、２７  制御部、３  カメラ、４ａ  ネットワーク、４Ａ  ネットワーク、５ａ  既設エレベータ、５ｂ  既設エレベータ、５ｃ  既設エレベータ、５ｄ  既設エレベータ、５Ａ  新設エレベータ、５Ｂ  新設エレベータ、５Ｃ  新設エレベータ、５Ｄ  新設エレベータ
【図１】
2015071481.tif 000003
【図２】
2015071481.tif 000004
【図３】
2015071481.tif 000005
【図４】
2015071481.tif 000006
【図５】
2015071481.tif 000007
【図６】
2015071481.tif 000008
【図７】
2015071481.tif 000009
【図８】
2015071481.tif 000010
【図９】
2015071481.tif 000011
【図１０】
2015071481.tif 000012
【図１１】
2015071481.tif 000013
【図１２】
2015071481.tif 000014